(57)【特許請求の範囲】
【請求項１】
映像を投影するプロジェクターに取り付けられて用いられ、前記プロジェクターで投影された映像をガラスに反射させることにより表示する投影ユニットであって、
第１主面と、前記第１主面と対向する第２主面と、を有し、前記第１主面に複数の単位マイクロレンズからなるマイクロレンズアレイが設けられると共に、前記マイクロレンズアレイに前記プロジェクターによって投影された映像が結像する中間像スクリーンと、
前記中間像スクリーンを前記ガラスに投影する投影光学系と、からなり、
前記プロジェクターで投影された映像を補正する補正光学系が、前記プロジェクターと前記中間像スクリーンとの間に配されることを特徴とする投影ユニット。
【請求項２】
前記投影光学系が凹面ミラーであることを特徴とする請求項１に記載の投影ユニット。
【請求項３】
映像を投影する投影部を有し、前記投影部で投影された映像をガラスに反射させることにより表示するプロジェクターであって、
第１主面と、前記第１主面と対向する第２主面と、を有し、前記第１主面に複数の単位マイクロレンズからなるマイクロレンズアレイが設けられると共に、前記マイクロレンズアレイに前記投影部によって投影された映像が結像する中間像スクリーンと、
前記中間像スクリーンを前記ガラスに投影する投影光学系と、からなり、
前記投影部で投影された映像を補正する補正光学系が、前記投影部と前記中間像スクリーンとの間に配されることを特徴とするプロジェクター。
【請求項４】
前記投影光学系が凹面ミラーであることを特徴とする請求項３に記載のプロジェクター。
【発明の詳細な説明】
【技術分野】
【０００１】
本発明は、映像を投影するプロジェクターに取り付けられて用いられ、プロジェクターで投影された映像をガラスに反射させることにより表示する投影ユニット、及び、前記投影ユニットの主要構成を有するプロジェクターに関するものである。
【背景技術】
【０００２】
従来、プロジェクターによって投影される映像を映すためには、反射層などの光拡散面に投影する必要があった。例えば、ヘッドアップディスプレイ（Ｈｅａｄ  Ｕｐ  Ｄｉｓｐｌａｙ：ＨＵＤ）装置などにおいては、ガラスなどにコンバイナーとよばれる反射層を設けておき、このコンバイナーにプロジェクターによって投影される映像を映し出すようにしている。
【０００３】
このような装置としては、例えば、特許文献１（特開平４−５６６３３号公報）には、前方風防ガラスに形成された半透光性のコンバイナーで反射させ、前記前方風防ガラス前方に虚像表示画像を投影するプロジェクターを備えるヘッドアップディスプレイ装置が開示されている。
【特許文献１】特開平４−５６６３３号公報
【発明の概要】
【発明が解決しようとする課題】
【０００４】
従来のプロジェクターでは、コンバイナーなどの反射層を用いることなく、反射率が１０％以下である一般的なガラスに映像を映すことができない、という問題がった。
【０００５】
一般的なガラスに映像を映すことが可能となれば、当該ガラスを広告や広報などにも用いることができるなど、これまで無かったニーズが広がるが、反射率の低い汎用ガラスに明るい映像を映すことができず、問題であった。
【課題を解決するための手段】
【０００６】
本発明は以上のような課題を解決するためのものであり、本発明に係る投影ユニットは、映像を投影するプロジェクターに取り付けられて用いられ、前記プロジェクターで投影された映像をガラスに反射させることにより表示する投影ユニットであって、第１主面と、前記第１主面と対向する第２主面と、を有し、前記第１主面に複数の単位マイクロレンズからなるマイクロレンズアレイが設けられると共に、前記マイクロレンズアレイに前記プロジェクターによって投影された映像が結像する中間像スクリーンと、前記中間像スクリーンを前記ガラスに投影する投影光学系と、からなり、前記プロジェクターで投影された映像を補正する補正光学系が、前記プロジェクターと前記中間像スクリーンとの間に配されることを特徴とする。
【０００７】
また、本発明に係る投影ユニットは、前記投影光学系が凹面ミラーであることを特徴とする。
【０００８】
また、本発明に係るプロジェクターは、映像を投影する投影部を有し、前記投影部で投影された映像をガラスに反射させることにより表示するプロジェクターであって、第１主面と、前記第１主面と対向する第２主面と、を有し、前記第１主面に複数の単位マイクロレンズからなるマイクロレンズアレイが設けられると共に、前記マイクロレンズアレイに前記投影部によって投影された映像が結像する中間像スクリーンと、前記中間像スクリーンを前記ガラスに投影する投影光学系と、からなり、前記投影部で投影された映像を補正する補正光学系が、前記投影部と前記中間像スクリーンとの間に配されることを特徴とする。
【０００９】
また、本発明に係るプロジェクターは、前記投影光学系が凹面ミラーであることを特徴とする。
【発明の効果】
【００１２】
本発明に係る投影ユニットによれば、マイクロレンズアレイが設けられた中間像スクリーンが、プロジェクターで投影された映像の画像光線を無駄なく、適切な視野角内に、集中して結像し、高効率を達成するので、プロジェクターで投影された映像を、反射率が１０％以下である一般的なガラスに写すことが可能となる。
【００１３】
また、本発明に係るプロジェクターによれば、マイクロレンズアレイが設けられた中間像スクリーンが、投影部で投影された映像の画像光線を無駄なく、適切な視野角内に、集中して結像し、高効率を達成するので、投影部で投影された映像を、反射率が１０％以下である一般的なガラスに写すことが可能となる。
【図面の簡単な説明】
【００１４】
【図１】本発明の実施形態に係る投影ユニット１００が取り付けられたプロジェクター１０を模式的に示す図である。
【図２】本発明の実施形態に係る中間像スクリーン５０の斜視図であり、点線によって込まれている箇所は単位マイクロレンズ５５の拡大図である。
【図３】第１方向と第２方向に広がるマイクロレンズアレイ５７をｚ軸方向から見た図である。
【図４】コンデンサーレンズ２０によるレーザー光の補正の効果を説明する図である。
【図５】本発明の他の実施形態に係る投影ユニット１００が取り付けられたプロジェクター１０を模式的に示す図である。
【図６】本発明の他の実施形態で用いる中間像スクリーン５０の斜視図であり、点線によって込まれている箇所は単位マイクロレンズ５５の拡大図である。
【図７】中間像スクリーン５０の凸レンズ構造部６０によるレーザー光の補正の効果を説明する図である。
【図８】本発明の他の実施形態で用いられる中間像スクリーン５０の斜視図である。
【図９】本発明の他の実施形態で用いられる中間像スクリーン５０の、第１方向と第２方向に広がるマイクロレンズアレイ５７をｚ軸方向から見た図である。
【図１０】本発明の他の実施形態で用いられる中間像スクリーン５０の、第１方向と第２方向に広がるマイクロレンズアレイ５７をｚ軸方向から見た図である。
【図１１】本発明の他の実施形態で用いられる中間像スクリーン５０の、第１方向と第２方向に広がるマイクロレンズアレイ５７をｚ軸方向から見た図である。
【図１２】本発明の他の実施形態で用いられる中間像スクリーン５０の、第１方向と第２方向に広がるマイクロレンズアレイ５７をｚ軸方向から見た図である。
【図１３】本発明の他の実施形態で用いられる中間像スクリーン５０の、第１方向と第２方向に広がるマイクロレンズアレイ５７をｚ軸方向から見た図である。
【図１４】本発明の他の実施形態で用いられる中間像スクリーン５０の、第１方向と第２方向に広がるマイクロレンズアレイ５７をｚ軸方向から見た図である。
【発明を実施するための形態】
【００１５】
以下、本発明の実施の形態を図面を参照しつつ説明する。図１は本発明の実施形態に係る投影ユニット１００が取り付けられたプロジェクター１０を模式的に示す図である。
【００１６】
プロジェクター１０と投影ユニット１００の配置等を示す座標を、図１に示すｘｙｚの３次元直交座標により定義する。例えば、プロジェクター１０から投影される映像を構成する画像光線は、ｘ軸と平行な方向に向けて出射される光である。また、プロジェクター１０、コンデンサーレンズ２０、中間像スクリーン５０の光軸はｚ方向と平行な方向にあるものとする。
【００１７】
また、本実施形態においては、一般的に市販されているプロジェクター１０に、投影ユニット１００を取り付けて用いることを想定しているが、あらためて、プロジェクター１０（投影部）と投影ユニット１００とを組み合わせた構成を一つのプロジェクターと見ることも可能である。このような視点に基づいて、カテゴリーが「プロジェクター」である特許請求の範囲が記載されている。また、このとき、プロジェクター１０をあらためて「投影部」として表現している。
【００１８】
本実施形態においては、一般的に市販されているプロジェクター１０に、投影ユニット１００を取り付けて用い、プロジェクター１０で投影された映像を反射率が１０％以下であるガラス１１０に反射させることにより表示することを想定している。
【００１９】
また、本実施形態においては、図１において、斜線が配されているガラス１１０の部分に投影ユニット１００からの投影像が表示され、視点Ｅから視認できるようになる。
【００２０】
映像を投影するプロジェクター１０からは、ｚ軸と平行な方向に、投影する映像の画像光線が出射される。プロジェクター１０から出射される画像光線は、このコンデンサーレンズ２０に入射される。
【００２１】
コンデンサーレンズ２０は、補正光学系として、中間像スクリーン５０に入射する画像光線の補正を行う。ただし、このコンデンサーレンズ２０は、必須の構成要件ではないし、また、コンデンサーレンズ２０を他の光学部材に置換することも可能である。
【００２２】
中間像スクリーン５０は、所定以上の透過度を有する透明基材からなる光学部材である。中間像スクリーン５０は、透明な有機樹脂材料を用いて成型することによって構成することもできるし、透明なガラスなどの無機材料を用いることで構成することもできる。
【００２３】
ただし、中間像スクリーン５０は、プロジェクター１０の光と熱にさらされる配置であるので、耐熱性があることが好ましく、有機樹脂材料を用いるような場合には、ＣＯＰ（シュクロオレフィンポリマー）やＰＣ（ポリカーボネイト）といった高耐熱性樹脂を用いるとよい。
【００２４】
図２は本発明の実施形態に係る中間像スクリーン５０の斜視図であり、点線によって込まれている箇所は単位マイクロレンズ５５の拡大図である。なお、点線によって込まれている箇所は、図２のＡ方向から中間像スクリーン５０を見た図であり、この単位マイクロレンズ５５の拡大図は、点線によって込まれている箇所内のｘｙｚ直交座標系によって方向関係が定められるものである。
【００２５】
ここで、ｘ軸に平行な軸の方向を第１方向、及び、ｙ軸に平行な軸の方向を第２方向（第１方向とは直交関係）として定義する。
【００２６】
上記のような定義の下、中間像スクリーン５０は、第１方向と、前記第１方向と直交す
る第２方向に広がる第１主面５１と、第１主面５１と対向すると共に、前記第１方向と、前記第２方向に広がる第２主面５２と、を有している。
【００２７】
中間像スクリーン５０の第１主面５１には、複数の単位マイクロレンズ５５が周期的に配列されてなるマイクロレンズアレイ５７が設けられている。図３は第１方向と第２方向に広がるマイクロレンズアレイ５７をｚ軸方向から見た図である。図に示すように、本実施形態に係る中間像スクリーン５０においては、ｚ軸方向から見たとき、単位マイクロレンズ５５が、１辺の長さがｄである正方形であるものを用いている。
【００２８】
また、各単位マイクロレンズ５５は球面レンズであり、第１方向に曲率半径Ｒ1の球面
を有しており、第２方向に曲率半径Ｒ2の球面を有している。
【００２９】
各単位マイクロレンズ５５の第１方向の曲率半径Ｒ1と、第２方向の曲率半径Ｒ2とは等しくすることも可能であるが、異ならせることが好ましい。これは、一般的に、プロジェクター１０、投影ユニット１００で表示する画像情報の縦横比が異なっており、画像周辺部の輝度低下の抑制を、画像の上下端部周辺と、画像の左右端部周辺と同程度とするには、各単位マイクロレンズ５５の第１方向の曲率半径Ｒ1と、第２方向の曲率半径Ｒ2とが異なっていた方がよいからである。
【００３０】
さらに、一般的には、プロジェクター１０、投影ユニット１００で表示する画像情報は横長であることを考慮に入れると、各単位マイクロレンズ５５の第１方向の曲率Ｒ1が、
第２方向の曲率半径Ｒ2より大きいことが好ましい。
【００３１】
本実施形態においては、コンデンサーレンズ２０は、マイクロレンズアレイ５７を構成する単位マイクロレンズ５５に入射する、映像の画像光線の入射角が、当該単位マイクロレンズ５５の開角αに収まるように補正を行う。図４はコンデンサーレンズ２０によるレーザー光の補正の効果を説明する図である。図４に示すように、コンデンサーレンズ２０の屈折作用により、それぞれの単位マイクロレンズ５５に入射する、映像の画像光線は、単位マイクロレンズ５５の開角αに収まるようになっている。
【００３２】
マイクロレンズアレイ５７は、複数の単位マイクロレンズ５５の配列にて構成される。各単位マイクロレンズ５５は、コンデンサーレンズ２にて補正された、映像の画像光線を入射し、その裏面にて像を形成する。中間像スクリーン５０のマイクロレンズアレイ５７は、プロジェクター１０で投影された映像の画像光線を無駄なく、適切な視野角内に、集中して結像する。
【００３３】
中間像スクリーン５０のマイクロレンズアレイ５７で結像された映像は、投影光学系として用いられる、第１凹面ミラー８１及び第２凹面ミラー８２によって反射され、ガラス１１０に投影される。
【００３４】
ガラス１１０では、投影された映像が、反射することによって表示することとなり、この表示が視点Ｅから視認できるようになる。
【００３５】
なお、本発明においては、投影光学系としては、中間像スクリーン５０のマイクロレンズアレイ５７で結像された映像をガラス１１０に投影することができればよく、第１凹面ミラー８１及び第２凹面ミラー８２以外の光学部材を用いるようにしてもよい。
【００３６】
以上のような本発明に係る投影ユニット１００によれば、マイクロレンズアレイ５７が設けられた中間像スクリーン５０が、プロジェクター１０で投影された映像の画像光線を無駄なく、適切な視野角内に、集中して結像し、高効率を達成するので、プロジェクター
１０で投影された映像を、反射率が１０％以下である一般的なガラスに写すことが可能となる。
【００３７】
次に、本発明の他の実施形態について説明する。先の第１実施形態においては、補正光学系として、コンデンサーレンズ２０を用いて、これにより、プロジェクター１０から出射され、中間像スクリーン５０に入射する画像光線の補正を行っていた。
【００３８】
これに対して、本第２実施形態では、補正光学系として、中間像スクリーン５０の第２主面５２に設けられる凸レンズ構造部６０を用いるようにしている。
【００３９】
図５は本発明の他の実施形態に係る投影ユニット１００が取り付けられたプロジェクター１０を模式的に示す図である。また、図６は本発明の他の実施形態で用いる中間像スクリーン５０の斜視図であり、点線によって込まれている箇所は単位マイクロレンズ５５の拡大図である。中間像スクリーン５０の第１主面５１の構造は、先の実施形態と同様であるので、説明を省略する。
【００４０】
ここで、本実施形態に係る中間像スクリーン５０の凸レンズ構造部６０についてより詳細について説明する。本実施形態に係る中間像スクリーン５０の凸レンズ構造部６０は球面レンズであり、第１方向に曲率半径Ｒ3の球面を有しており、第２方向に曲率半径Ｒ4の球面を有している。
【００４１】
単位マイクロレンズ５５の場合と同様、凸レンズ構造部６０の第１方向の曲率半径Ｒ3
と、第２方向の曲率半径Ｒ4とは等しくすることも可能であるが、異ならせることが好ま
しい。これは、一般的に、プロジェクター１０、投影ユニット１００で表示する画像情報の縦横比が異なっており、画像周辺部の輝度低下の抑制を、画像の上下端部周辺と、画像の左右端部周辺と同程度とするには、凸レンズ構造部６０の第１方向の曲率半径Ｒ3と、
第２方向の曲率半径Ｒ4とが異なっていた方がよいからである。
【００４２】
さらに、一般的には、プロジェクター１０、投影ユニット１００で表示する画像情報は横長であることを考慮に入れると、凸レンズ構造部６０の第１方向の曲率Ｒ3が、第２方
向の曲率半径Ｒ4より大きいことが好ましい。
【００４３】
この凸レンズ構造部６０は、マイクロレンズアレイ５７を構成する単位マイクロレンズ５５に入射するレーザー光の入射角が、当該単位マイクロレンズ５５の開角αに収まるように補正を行う。図７は中間像スクリーン５０の凸レンズ構造部６０によるレーザー光の補正の効果を説明する図である。図７に示すように、凸レンズ構造部６０の屈折作用により、それぞれの単位マイクロレンズ５５に入射するレーザー光は、単位マイクロレンズ５５の開角αに収まるようになっている。
【００４４】
以上のような第２実施形態によっても、第１実施形態と同様の効果を享受することができると共に、第１実施形態に比べ、部品としてコンデンサーレンズ２０を減らすことができるので、当該中間像スクリーン５０が組み込まれる投影ユニット１００のコストを抑制することができ、投影ユニット１００の光学特性の低下も防止できる。
【００４５】
次に、本発明の他の実施形態について説明する。第３実施形態が、先の第２実施形態と異なる点は、中間像スクリーン５０の第２主面５２に設けられる凸レンズ構造部６０の構成のみであるので、以下、この点について説明する。
【００４６】
図８は本発明の他の実施形態で用いられる中間像スクリーン５０の斜視図である。第２実施形態においては、中間像スクリーン５０の凸レンズ構造部６０として、凸レンズ構造
部６０の第１方向の曲率Ｒ3が、第２方向の曲率半径Ｒ4より大きいことが好ましいことについて述べた。本実施形態では、これをさらに進めて、凸レンズ構造部６０の第１方向の曲率半径Ｒ3を無限大としている。
【００４７】
一般的には、プロジェクター１０、投影ユニット１００で表示する画像情報は横長であるので、画像周辺部の輝度低下は、画像の上下端部周辺より、画像の左右端部周辺の方が起こりやすい。そこで、凸レンズ構造部６０の第１方向の曲率半径Ｒ3を無限大とし、特
に、画像の左右端部周辺での輝度低下を抑制するようにしている。
【００４８】
このような第３実施形態によっても、第２実施形態と同様の効果を享受することができる。
【００４９】
次に、本発明の他の実施形態について説明する。第４実施形態が、先の第１実施形態と異なる点は、中間像スクリーン５０の第１主面５１に設けられるマイクロレンズアレイ５７の構成のみであるので、以下、この点について説明する。
【００５０】
図９は本発明の他の実施形態で用いられる中間像スクリーン５０の、第１方向と第２方向に広がるマイクロレンズアレイ５７をｚ軸方向から見た図である。
【００５１】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、長方形として構成している。
【００５２】
ここで、単位マイクロレンズ５５の、第１方向の長さｄ1と、第２方向の長さｄ2とを比較すると、ｄ1＜ｄ2であることが好ましい。これは、プロジェクター１０、投影ユニット１００で表示する画像情報が、一般的には横長であるからである。
【００５３】
また、本実施形態においても、投影ユニット１００で表示する画像情報が横長であることを考慮に入れると、各単位マイクロレンズ５５の第１方向の曲率Ｒ1が、第２方向の曲
率半径Ｒ2より大きいことが好ましい。
【００５４】
以上のような実施形態によっても、先の実施形態と同様の効果を享受することができる。
【００５５】
次に、本発明の他の実施形態について説明する。第５実施形態が、先の第１実施形態と異なる点は、中間像スクリーン５０の第１主面５１に設けられるマイクロレンズアレイ５７の構成のみであるので、以下、この点について説明する。
【００５６】
図１０は本発明の他の実施形態で用いられる中間像スクリーン５０の、第１方向と第２方向に広がるマイクロレンズアレイ５７をｚ軸方向から見た図である。
【００５７】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、正六角形として構成している。
【００５８】
本実施形態においても、プロジェクター１０、投影ユニット１００で表示する画像情報
が横長であることを考慮に入れると、各単位マイクロレンズ５５の第１方向の曲率Ｒ1が
、第２方向の曲率半径Ｒ2より大きいことが好ましい。
【００５９】
以上のような実施形態によっても、先の実施形態と同様の効果を享受することができる。
【００６０】
次に、本発明の他の実施形態について説明する。第６実施形態が、先の第１実施形態と異なる点は、中間像スクリーン５０の第１主面５１に設けられるマイクロレンズアレイ５７の構成のみであるので、以下、この点について説明する。
【００６１】
図１１は本発明の他の実施形態で用いられる中間像スクリーン５０の、第１方向と第２方向に広がるマイクロレンズアレイ５７をｚ軸方向から見た図である。
【００６２】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、正六角形でない六角形として構成している。
【００６３】
ここで、単位マイクロレンズ５５を構成する六角形としては、第２方向に平行な辺ののみが、他の辺の長さより長い、横長の六角形であることが好ましい。これは、プロジェクター１０、投影ユニット１００で表示する画像情報が、一般的には横長であるからである。
【００６４】
また、本実施形態においても、プロジェクター１０、投影ユニット１００で表示する画像情報が横長であることを考慮に入れると、各単位マイクロレンズ５５の第１方向の曲率Ｒ1が、第２方向の曲率半径Ｒ2より大きいことが好ましい。
【００６５】
以上のような実施形態によっても、先の実施形態と同様の効果を享受することができる。
【００６６】
次に、本発明の他の実施形態について説明する。第７実施形態が、先の第１実施形態と異なる点は、中間像スクリーン５０の第１主面５１に設けられるマイクロレンズアレイ５７の構成のみであるので、以下、この点について説明する。
【００６７】
図１２は本発明の他の実施形態で用いられる中間像スクリーン５０の、第１方向と第２方向に広がるマイクロレンズアレイ５７をｚ軸方向から見た図である。
【００６８】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、円形として構成している。
【００６９】
本実施形態においても、プロジェクター１０、投影ユニット１００で表示する画像情報が横長であることを考慮に入れると、各単位マイクロレンズ５５の第１方向の曲率Ｒ1が
、第２方向の曲率半径Ｒ2より大きいことが好ましい。
【００７０】
以上のような実施形態によっても、先の実施形態と同様の効果を享受することができる。
【００７１】
次に、本発明の他の実施形態について説明する。第８実施形態が、先の第１実施形態と異なる点は、中間像スクリーン５０の第１主面５１に設けられるマイクロレンズアレイ５７の構成のみであるので、以下、この点について説明する。
【００７２】
図１３は本発明の他の実施形態で用いられる中間像スクリーン５０の、第１方向と第２方向に広がるマイクロレンズアレイ５７をｚ軸方向から見た図である。
【００７３】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、楕円形として構成している。
【００７４】
ここで、単位マイクロレンズ５５を構成する楕円形としては、長軸φ1が第２方向と平
行であり、短軸φ2が第１方向と平行である楕円形である、横長の楕円形であることが好
ましい。これは、プロジェクター１０、投影ユニット１００で表示する画像情報が、一般的には横長であるからである。
【００７５】
また、本実施形態においても、プロジェクター１０、投影ユニット１００で表示する画像情報が横長であることを考慮に入れると、各単位マイクロレンズ５５の第１方向の曲率Ｒ1が、第２方向の曲率半径Ｒ2より大きいことが好ましい。
【００７６】
以上のような実施形態によっても、先の実施形態と同様の効果を享受することができる。
【００７７】
次に、本発明の他の実施形態について説明する。第９実施形態が、先の第１実施形態と異なる点は、中間像スクリーン５０の第１主面５１に設けられるマイクロレンズアレイ５７の構成のみであるので、以下、この点について説明する。
【００７８】
図１４は本発明の他の実施形態で用いられる中間像スクリーン５０の、第１方向と第２方向に広がるマイクロレンズアレイ５７をｚ軸方向から見た図である。
【００７９】
第１実施形態に係る中間像スクリーン５０の第１主面５１に設けられるマイクロレンズアレイ５７の単位マイクロレンズ５５は、ｚ軸方向から見たとき、正方形であったが、第４実施形態に係る中間像スクリーン５０の第１主面５１に設けられるマイクロレンズアレイ５７の単位マイクロレンズ５５は、ｚ軸方向から見たとき、小判形として構成している。
【００８０】
ここで、単位マイクロレンズ５５を構成する小判形としては、小判型の直線部が第２方向と平行である横長の小判形であることが好ましい。これは、プロジェクター１０、投影ユニット１００で表示する画像情報が、一般的には横長であるからである。
【００８１】
また、本実施形態においても、プロジェクター１０、投影ユニット１００で表示する画像情報が横長であることを考慮に入れると、各単位マイクロレンズ５５の第１方向の曲率Ｒ1が、第２方向の曲率半径Ｒ2より大きいことが好ましい。
【００８２】
以上のような実施形態によっても、先の実施形態と同様の効果を享受することができる。
【００８３】
なお、本発明は第１乃至第９の実施形態のみに限られるものではなく、それぞれの実施
形態の構成を適宜組み合わせて構成した実施形態も本発明の範疇となるものである。
【００８４】
以上、本発明に係る投影ユニット１００によれば、マイクロレンズアレイが設けられた中間像スクリーン５０が、プロジェクター１０で投影された映像の画像光線を無駄なく、適切な視野角内に、集中して結像し、高効率を達成するので、プロジェクター１０で投影された映像を、反射率が１０％以下である一般的なガラスに写すことが可能となる。
【００８５】
また、本発明に係るプロジェクターによれば、マイクロレンズアレイが設けられた中間像スクリーン５０が、投影部で投影された映像の画像光線を無駄なく、適切な視野角内に、集中して結像し、高効率を達成するので、投影部で投影された映像を、反射率が１０％以下である一般的なガラスに写すことが可能となる。
【符号の説明】
【００８６】
１０・・・プロジェクター
２０・・・コンデンサーレンズ
５０・・・中間像スクリーン
５１・・・第１主面
５２・・・第２主面
５５・・・単位マイクロレンズ
５７・・・マイクロレンズアレイ
６０・・・凸レンズ構造部
８１・・・第１凹面ミラー
８２・・・第２凹面ミラー
１００・・・投影ユニット
１１０・・・ガラス
【図１】
0006458924.tif 000002
【図２】
0006458924.tif 000003
【図３】
0006458924.tif 000004
【図４】
0006458924.tif 000005
【図５】
0006458924.tif 000006
【図６】
0006458924.tif 000007
【図７】
0006458924.tif 000008
【図８】
0006458924.tif 000009
【図９】
0006458924.tif 000010
【図１０】
0006458924.tif 000011
【図１１】
0006458924.tif 000012
【図１２】
0006458924.tif 000013
【図１３】
0006458924.tif 000014
【図１４】
0006458924.tif 000015